(57)【要約】【課題】外観を維持しながら、側面パネルの内側への倒れ込みを防止することができる空気調和機の室外機を提供する。【解決手段】底面パネルから立設され、側面と、背面の少なくとも一部と、からなる側面パネルと、前記側面パネルの上端部を覆う上面パネルと、を含んで構成される筐体と、前記背面側に位置する前記側面パネルに対向するように設けられ、前記上面パネルの外縁部から所定の間隔をあけた内面から下方に突出して形成される規制部と、を備え、前記規制部は、前記背面側に位置する前記側面パネルの上端部に当接可能に構成される。【選択図】図４
2020101323.tif 000002
【特許請求の範囲】
【請求項１】
底面パネルから立設され、側面と、背面の少なくとも一部と、からなる側面パネルと、前記側面パネルの上端部を覆う上面パネルと、を含んで構成される筐体と、
前記背面側に位置する前記側面パネルに対向するように設けられ、前記上面パネルの外縁部から所定の間隔をあけた内面から下方に突出して形成される規制部と、を備え、
前記規制部は、前記背面側に位置する前記側面パネルの上端部に当接可能に構成される空気調和機の室外機。
【請求項２】
前記背面側に位置する前記側面パネルの上端部は、前記上面パネルの内面に沿って形成される支持部と、前記支持部の先端に設けられるとともに、前記規制部と当接可能な当接部と、を含んで構成される請求項１に記載の空気調和機の室外機。
【請求項３】
前記規制部及び前記当接部は、面接触可能に構成される請求項２に記載の空気調和機の室外機。
【請求項４】
前記規制部は、前記背面側に位置する前記側面パネルの端部寄りに設けられる請求項１から請求項３の何れか一項に記載の空気調和機の室外機。
【請求項５】
前記上面パネルの外縁部に前記側面パネルの上端部を覆う側壁が設けられ、
前記規制部は、前記側壁の一部を、前記上面パネルの内面に沿うように屈曲させて折り返した先端部に設けられる請求項１から請求項４の何れか一項に記載の空気調和機の室外機。
【発明の詳細な説明】
【技術分野】
【０００１】
本発明は空気調和機の室外機に関する。
【背景技術】
【０００２】
従来、空気調和機の室外機では、設置位置の関係上、背面側にメンテナンス用の空間を確保することが難しく、筐体の背面側を避けて、正面や側面などに、ねじ止めを行うことで上面パネルを固定している。そのため、筐体の背面側に外力が加えられると、筐体の背面側に位置するパネルが内側に倒れ込んで、筐体内部の構造物（例えば、熱交換器）に接触する場合があった。
【０００３】
そこで、特許文献１には、天板（上面パネル）の背面に設けられる突起を、熱交換器ガード（筐体の背面側に位置するパネル）に設けられるスリットに挿入することで、熱交換器ガードの内側への倒れ込みを防止する空気調和機の室外ユニットが開示されている。
【先行技術文献】
【特許文献】
【０００４】
【特許文献１】実公平２−３６０１２号公報
【発明の概要】
【発明が解決しようとする課題】
【０００５】
しかし、例えば、筐体の組み付け時や、輸送時の振動、落下等により突起及びスリットの接触部分が擦れて傷が生じると、外観が損なわれ、性能上問題がない場合であっても、部品交換が必要となる場合があった。
【０００６】
上記の問題点に鑑み、本発明は、一例として、外観を維持しながら、側面パネルの内側への倒れ込みを防止することができる空気調和機の室外機を提供することを目的とする。
【課題を解決するための手段】
【０００７】
本発明の一態様に係る空気調和機の室外機は、底面パネルから立設され、側面と、背面の少なくとも一部と、からなる側面パネルと、前記側面パネルの上端部を覆う上面パネルと、を含んで構成される筐体と、前記背面側に位置する前記側面パネルに対向するように設けられ、前記上面パネルの外縁部から所定の間隔をあけた内面から下方に突出して形成される規制部と、を備え、前記規制部は、前記背面側に位置する前記側面パネルの上端部に当接可能に構成される。
【図面の簡単な説明】
【０００８】
【図１】本発明の実施形態１に係る空気調和機の室外機の前方斜視図である。
【図２】図１に示した空気調和機の室外機の後方斜視図である。
【図３】図１に示した空気調和機の室外機において上面パネル及び前面パネルを取り外した状態の前方斜視図である。
【図４】（ａ）図１に示した空気調和機の室外機を後方斜視から見た一部拡大図である（ｂ）図４（ａ）に示した室外機のＩＶ−ＩＶ線矢視断面図である。
【図５】（ａ）本発明の実施形態２に係る空気調和機の室外機を後方斜視から見た一部拡大図である（ｂ）図５（ａ）に示した室外機のＶ−Ｖ線矢視断面図である。
【図６】（ａ）本発明の実施形態３に係る空気調和機の室外機を後方斜視から見た一部拡大図である（ｂ）図６（ａ）に示した室外機のＶＩ−ＶＩ線矢視断面図である。
【図７】（ａ）本発明の実施形態４に係る空気調和機の室外機を後方斜視から見た一部拡大図である（ｂ）図７（ａ）に示した室外機のＶＩＩ−ＶＩＩ線矢視断面図である。
【発明を実施するための形態】
【０００９】
以下、図面を参照しつつ、本発明の各実施の形態について説明する。なお、本明細書及び図面において、同一又は同等の要素には同一の符号を付することにより重複する説明は省略し、また、本発明に直接関係のない要素は図示を省略する場合がある。さらに、かかる実施の形態に示す構成要素の形態はあくまでも例示であって、これらの形態に限定されるものではない。
【００１０】
（第１の実施形態）
本実施の形態にかかる空気調和機の室外機１００について説明する。本実施の形態にかかる空気調和機は、セパレート式の空気調和機であって、主として、室内機（図示せず）と、室外機１００とから構成される。
【００１１】
室内機は、略直方体状の形状を有しており、通常、部屋の壁の上部に掛けられて使用される。室内機内には室内側熱交換器（図示せず）が備えられている。室外機１００には、圧縮機（図示せず）、室外側熱交換器（熱交換器）１０１、四方弁（図示せず）、膨張弁（図示せず）などが備えられている。これらと室内側熱交換器とによって冷凍サイクルが構成される。
【００１２】
冷凍サイクルにおいて、圧縮機は、冷媒を圧縮する。膨張弁は、冷媒を減圧する。室外側熱交換器１０１は、暖房運転時には蒸発器として機能するとともに、冷房運転時には凝縮器として機能する。室内側熱交換器は、暖房運転時には凝縮器として機能し、冷房運転時には蒸発器として機能する。
【００１３】
図１から図３までを参照して、室外機１００の具体的な構成について説明する。以下では、説明の便宜上、前面パネル１１３が配置されている側を室外機１００の正面側又は前方側とし、室外側熱交換器１０１が配置されている側を室外機１００の背面側又は後方側とする。また、室外機１００の右側とは、室外機１００を正面から見たときの右側を意味し、室外機１００の左側とは、室外機１００を正面から見たときの左側を意味する。図１は、本発明の実施形態１に係る空気調和機の室外機１００の前方斜視図である。図２は、本発明の実施形態１に係る空気調和機の室外機１００の後方斜視図である。図３は、本発明の実施形態１に係る空気調和機の室外機１００において上面パネル１１２及び前面パネル１１３を取り外した状態の前方斜視図である。
【００１４】
室外機１００は、略直方体状の形状を有しており、通常、屋外の平坦面上に配置される。室外機１００の外形は、主として、筐体１１０によって形成される。筐体１１０の外形は、底面パネル１１１、上面パネル１１２、前面パネル１１３、側面パネル１１４及び側面パネル１１５を組み合わせて略矩形状の箱形に形成され、背面は一部開放されている。
【００１５】
筐体１１０の内部には、圧縮機（図示せず）、室外側熱交換器１０１、送風機１０２、電装ボックス１０３、分離板１０４などが収納されている。筐体１１０内の空間は、分離板１０４によって、送風機１０２が配置される空間（熱交換室）と、圧縮機などが配置される空間（機械室）と、に区画されている。
【００１６】
室外側熱交換器１０１は、上面視において、略Ｕ字状に形成される。室外側熱交換器１０１は、筐体１１０内の背面側に収容される。具体的には、室外側熱交換器１０１は、筐体１１０内の左側面から背面を介して右側面に沿って配置されている。室外側熱交換器１０１の内部では、冷媒配管１０１ａが複数回折り返されながら蛇行して延びている。冷媒配管１０１ａには、多数の放熱フィン（図示せず）が取り付けられている。
【００１７】
送風機１０２は、室外側熱交換器１０１の前面側の空間に配置されている。送風機１０２の回転によって、側面パネル１１４に形成される流入口１１４ａ、側面パネル１１５に形成される流入口１１５ａ及び背面側から室外側熱交換器１０１を通過し、前面パネル１１３に形成される吹出口１１３ａから外部へ送出される空気の流れが形成される。筐体１１０内へ流入した外気は、室外側熱交換器１０１の放熱フィン間を通過する。このとき、室外側熱交換器１０１の冷媒配管１０１ａ内を流れる冷媒と外気とが熱交換される。そして、熱交換された外気は、吹出口１１３ａを介して筐体１１０の外に排出される。
【００１８】
電装ボックス１０３は、分離板１０４の上部、具体的には、分離板１０４と上面パネル１１２との間に配置され、送風機１０２が配置される空間と、圧縮機などが配置される空間とをまたぐように配置される。電装ボックス１０３は、電装基板（図示せず）を備えている。電装基板には、室外機１００内の各部材の動作を制御するための制御部などが搭載されている。
【００１９】
図１から図３までを用いて、室外機１００の筐体１１０の具体的な構成について説明する。筐体１１０は、底面パネル１１１から前面パネル１１３、側面パネル１１４及び側面パネル１１５が立設され、その上端部を上面パネル１１２が覆うように取付けられている。
【００２０】
底面パネル１１１は、主として筐体１１０の底面からなる。底面パネル１１１は、略トレイ型の形状を有しており、外縁部に側壁１１１ａが設けられている。底面パネル１１１には、筐体１１０に収容される各種の構造物が取り付けられている。側壁１１１ａには、任意の締結具（例えば、ねじ等）によって、前面パネル１１３及び側面パネル１１４及び側面パネル１１５の下端部がそれぞれ固定されている。前面パネル１１３及び側面パネル１１４及び側面パネル１１５の下端部は、側壁１１１ａよりも外側に位置しており、側壁１１１ａを覆うように設けられている。
【００２１】
上面パネル１１２は、主として筐体１１０の上面からなる。上面パネル１１２は、略トレイ型の形状を有しており、外縁部に側壁１１２ａが設けられている。側壁１１２ａには、任意の締結具（例えば、ねじ等）によって、側面パネル１１４及び側面パネル１１５の上端部がそれぞれ固定されている。側面パネル１１４及び側面パネル１１５の上端部は、側壁１１２ａよりも内側に位置しており、側壁１１２ａによって覆われている。
【００２２】
前面パネル１１３は、主として筐体１１０の前面からなる。前面パネル１１３は、一枚の板状部材の両側部をそれぞれ屈曲することで、略コの字状に形成される。前面パネル１１３は、両側部が筐体１１０の側面にそれぞれ回り込むように配置される。前面パネル１１３の下端部は、側壁１１１ａに固定されている。前面パネル１１３の上端部は、例えば、筐体１１０内に収容される適宜の構造物に固定されている。
【００２３】
側面パネル１１４は、主として筐体１１０の左側面と、背面の一部とからなる。側面パネル１１４は、一枚の板状部材の一側部を屈曲することで、略Ｌ字状に形成される。側面パネル１１４は、筐体１１０の左側面から背面にかけて回り込むように配置される。すなわち、側面パネル１１４は、筐体１１０の左側面を構成する側面部１１４ｂと、背面の一部を構成する背面部１１４ｃと、を備える。側面部１１４ｂは、下端部が側壁１１１ａに固定され、上端部が側壁１１２ａに固定されている。背面部１１４ｃは、下端部のみが側壁１１１ａに固定されている。側面パネル１１４は、室外側熱交換器１０１の外周の一部に沿って設けられている。
【００２４】
側面パネル１１５は、主として筐体１１０の右側面と、背面の一部とからなる。側面パネル１１５は、一枚の板状部材の一側部を屈曲することで、略Ｌ字状に形成される。側面パネル１１５は、一側部が筐体１１０の右側面から背面に回り込むように配置される。すなわち、側面パネル１１５は、筐体１１０の右側面を構成する側面部１１５ｂと、背面の一部を構成する背面部１１５ｃと、を備える。側面部１１５ｂは、下端部が側壁１１１ａに固定され、上端部が側壁１１２ａに固定されている。背面部１１５ｃは、下端部のみが側壁１１１ａに固定されている。側面パネル１１５は、室外側熱交換器１０１の外周の一部に沿って設けられている。
【００２５】
側面パネル１１４の側面部１１４ｂは、室外側熱交換器１０１の一端部１０１ｂ（側面部１１４ｂと隣接する端部）に固定されている。具体的には、室外側熱交換器１０１の一端部１０１ｂに設けられるエンドプレート１１６に任意の締結具（例えば、ねじ等）によって固定されている。側面パネル１１５の側面部１１５ｂは、室外側熱交換器１０１の他端部１０１ｃ（側面部１１５ｂと隣接する端部）に固定されている。具体的には、室外側熱交換器１０１の他端部１０１ｃに設けられるエンドプレート１１７に任意の締結具（例えば、ねじ等）によって固定されている。側面パネル１１４の背面部１１４ｃ及び側面パネル１１５の背面部１１５ｃの間（筐体１１０の背面中央）は、開放されており、室外側熱交換器１０１が露出している。
【００２６】
図４を用いて、側面パネル１１４の内側への倒れ込みを規制する規制部２００について説明する。図４（ａ）は、図１に示した空気調和機の室外機１００を後方斜視から見た一部拡大図である。図４（ｂ）は、図４（ａ）に示した室外機１００のＩＶ−ＩＶ線矢視断面図である。図４では、側面パネル１１４を用いて規制部２００について説明しているが、側面パネル１１５についても同様の構成を適用することができ、同様の効果を奏する。
【００２７】
図４（ａ）及び図４（ｂ）に示すように、上面パネル１１２には、背面側に位置する側面パネル１１４の上端部、すなわち、背面部１１４ｃの上端部（一例として、後述の当接部２３０）に当接可能に構成される規制部２００が設けられる。規制部２００は、背面部１１４ｃの上端部に当接することで側面パネル１１４の内側への倒れ込みを規制している。規制部２００は、上面パネル１１２の外縁部（側壁１１２ａ）から所定の間隔をあけた内面から下方に突出して形成される。規制部２００は、背面部１１４ｃの上端部と対向するように設けられる。規制部２００は、本実施の形態において、背面部１１４ｃの内側への倒れ込みを規制できるものであればよく、一例として、絞りビードからなる。絞りビードは、上面パネル１１２の外面側からプレスにより線状に絞り加工を施したものである。絞りビードは、上面パネル１１２の内面から盛り上がるように形成されている。絞りビードは、背面部１１４ｃの延在方向（左右方向）と平行になるように成形される。絞りビードは、背面部１１４ｃの上端部と当接することができる高さまで内面から下方に突出して形成される。
【００２８】
これにより、筐体１１０の内部において背面部１１４ｃの上端部及び規制部２００が当接されるため、外観を維持しながら側面パネル１１４の内側への倒れ込みを防止することができる。また、新たに部品を調達することなく、既存の部品を用いて規制部２００を形成することができる。
【００２９】
規制部２００は、背面側に位置する側面パネル１１４の端部（背面部１１４ｃ側の端部）寄りに設けられることが好ましい。側面パネル１１４の背面部１１４ｃ側は、底面パネル１１１の側壁１１１ａに固定されているのみであり、側面部１１４ｂ側と比較して剛性が低くなっている。ゆえに、背面部１１４ｃ側の端部寄りに、すなわち、背面部１１４ｃ側の端部と対向するように規制部２００が設けられることで、背面部１１４ｃの倒れ込みを効率的に防止することができる。また、規制部２００は、上面パネル１１２の外縁部との間隔が近ければ近いほど、側面パネル１１４の倒れ込みを規制できるため、好ましい。
【００３０】
図４を用いて、側面パネル１１４（背面部１１４ｃ）の上端部について説明する。図４では、側面パネル１１４を用いて上端部について説明しているが、側面パネル１１５についても同様の構成を適用することができ、同様の効果を奏する。
【００３１】
図４（ｂ）に示すように、背面側に位置する側面パネルの上端部（背面部１１４ｃの上端部）は、内側に屈曲するように形成される段差部２１０と、上面パネル１１２の内面に沿って形成される支持部２２０と、支持部２２０の先端に設けられるとともに、規制部２００と当接可能な当接部２３０と、を含んで構成される。段差部２１０は、側壁１１２ａの下端部において、内側に屈曲させた後、上方に向けて延出するように形成される。すなわち、段差部２１０よりも上部は、側壁１１２ａによって覆われている。支持部２２０は、段差部２１０において上方に向けて延出された先端部において、上面パネル１１２の内面に沿うように屈曲される。支持部２２０は、上面パネル１１２の内面に沿うように形成されることで、筐体１１０の内部から上面パネル１１２の内面を安定的に支持している。
【００３２】
当接部２３０は、支持部２２０の先端から略垂直方向（下方）に突出するように形成される。当接部２３０は、支持部２２０の先端に曲げ加工を施すことで形成されている。当接部２３０の当接面は、平坦面から構成されている。これにより、規制部２００の絞りビードと当接部２３０とが当接されることで、側面パネル１１４の内側への倒れ込みを防止している。
【００３３】
なお、側面パネル１１４は、側面と、背面の一部と、を構成しているが、これに限定されない。側面パネル１１４は、側面と、少なくとも背面の一部とを構成していればよく、例えば、側面と、背面の全面とを構成してもよい。同様に、側面パネル１１５は、側面と、背面の一部と、を構成しているが、これに限定されない。側面パネル１１５は、側面と、少なくとも背面の一部とを構成していればよく、例えば、側面と、背面の全面とを構成してもよい。また、室外側熱交換器１０１は、上面視において、略Ｕ字状に形成されているが、これに限定されず、例えば、上面視において、略Ｌ字状に形成されてもよい。
【００３４】
（第２の実施形態）
図５を用いて、第１の実施形態と異なる構成の規制部３００について説明する。図５（ａ）は、本発明の実施形態２に係る空気調和機の室外機１００ａを後方斜視から見た一部拡大図である。図５（ｂ）は、図５（ａ）に示した室外機１００ａのＶ−Ｖ線矢視断面図である。本実施の形態２に係る室外機１００ａの規制部３００の構成を示す図である。図５では、側面パネル１１４を用いて規制部３００について説明しているが、側面パネル１１５についても同様の構成を適用することができ、同様の効果を奏する。
【００３５】
規制部３００は、上面パネル１１２の外縁部（側壁１１２ａ）から所定の間隔をあけた内面から下方に突出して形成される。規制部３００は、背面部１１４ｃの上端部と対向するように設けられる。規制部３００は、上面パネル１１２を打抜いて、打抜いた部分を略垂直方向（下方）に折り曲げて形成される。具体的には、上面パネル１１２に略コの字状の打抜き加工を施して、打抜いた部分（コの字部分）に曲げ加工を施している。つまり、折り曲げ部分が規制部３００として形成される。折り曲げ部分は平坦面となるように形成されることで、規制部３００及び当接部２３０は、面接触可能に構成される。また、規制部３００は、正面側（背面部１１４ｃと反対側）を支点として折り曲げられるように構成される。
【００３６】
これにより、筐体１１０の内部において背面部１１４ｃの上端部（一例として、当接部２３０）及び規制部３００が当接されるため、外観を維持しながら側面パネル１１４の内側への倒れ込みを防止することができる。また、新たに部品を調達することなく、既存の部品を用いて規制部３００を形成することができる。また、当接部２３０及び規制部３００を面接触可能に構成することで、当接部２３０及び規制部３００にかかる応力が一点に集中することを防ぐことができ、耐久性の向上につながる。また、規制部３００は、正面側を支点として折り曲げられるように構成されることで、上面パネル１１２の打ち抜き部分（開口部３００ａ）が側面パネル１１４の支持部２２０によって塞がれるため、外観を維持するとともに、内部に雨水等の異物が侵入することを防止することができる。
【００３７】
（第３の実施形態）
図６を用いて、第１の実施形態及び第２の実施形態とは異なる構成の規制部４００について説明する。図６（ａ）は、本発明の実施形態３に係る空気調和機の室外機１００ｂを後方斜視から見た一部拡大図である。図６（ｂ）は、図６（ａ）に示した室外機１００ｂのＶＩ−ＶＩ線矢視断面図である。図６では、側面パネル１１４を用いて規制部４００について説明しているが、側面パネル１１５についても同様の構成を適用することができ、同様の効果を奏する。
【００３８】
規制部４００は、上面パネル１１２の内面に設けられる規制部材からなる。規制部材は、例えば、一枚の板状部材を屈曲させることで略Ｌ字状に形成される。屈曲部を挟んだ一方の面４００ａは、平坦面からなり、上面パネル１１２の内面に溶接等によって固定される。屈曲部を挟んだ他方の面４００ｂは、平坦面からなり、背面部１１４ｃの上端部（一例として、当接部２３０）と対向するように設けられる。
【００３９】
これにより、筐体１１０の内部において背面部１１４ｃの上端部（一例として、当接部２３０）及び規制部４００が当接されるため、外観を維持しながら側面パネル１１４の内側への倒れ込みを防止することができる。また、当接部２３０及び屈曲部を挟んだ他方の面４００ｂは面接触可能に構成されることで、当接部２３０及び屈曲部を挟んだ他方の面４００ｂにかかる応力が一点に集中することを防ぐことができ、耐久性の向上につながる。なお、規制部４００は、略Ｌ字状となるように９０度屈曲させているが、屈曲部を挟んだ他方の面４００ｂが側面パネル１１４と当接されればよく、これに限定されない。
【００４０】
（第４の実施形態）
図７を用いて、第１の実施形態から第３の実施形態までとは異なる構成の規制部５００について説明する。図７（ａ）は、本発明の実施形態４に係る空気調和機の室外機１００ｃを後方斜視から見た一部拡大図である。図７（ｂ）は、図７（ａ）に示した室外機１００ｃのＶＩＩ−ＶＩＩ線矢視断面図である。図７では、側面パネル１１４を用いて規制部５００について説明しているが、側面パネル１１５についても同様の構成を適用することができ、同様の効果を奏する。
【００４１】
規制部５００は、上面パネル１１２の外縁部を構成する側壁１１２ａの一部を、加工することによって形成される。側壁１１２ａの一部（背面部１１４ｃの上端部と対向する部分の側壁１１２ａ）には、ヘミング加工が施され、上面パネル１１２の内面に沿うように屈曲させて折り返される。ヘミング加工によって屈曲させて折り返した先端部を略垂直方向（下方）に折り曲げることで、規制部５００は形成される。規制部５００は、平坦面からなり、当接部２３０と面接触可能に構成される。
【００４２】
これにより、筐体１１０の内部において背面部１１４ｃの上端部（一例として、当接部２３０）及び規制部５００が当接されるため、外観を維持しながら側面パネル１１４の内側への倒れ込みを防止することができる。また、当接部２３０及び規制部５００は面接触可能に構成されることで、当接部２３０及び規制部５００にかかる応力が一点に集中することを防ぐことができ、耐久性の向上につながる。また、新たに部品を調達することなく、既存の部品を用いて規制部５００を形成することができる。
【００４３】
なお、本発明は、上記実施の形態に限定されるものではなく、種々の変形が可能である。例えば、上記実施の形態で示した構成と実質的に同一の構成、同一の作用効果を奏する構成又は同一の目的を達成することができる構成で置き換えることができる。なお、特許請求の範囲における「側面パネル」は、例えば、上記の実施の形態における側面パネル１１４及び側面パネル１１５のうち、少なくとも一方を指す。
【符号の説明】
【００４４】
１００  室外機、１０１  室外側熱交換器、１１０  筐体、１１１  底面パネル、１１２  上面パネル、１１２ａ  側壁、１１４  側面パネル、１１４ｂ  側面部、１１４ｃ  背面部、１１５  側面パネル、１１５ｂ  側面部、１１５ｃ  背面部、２００  規制部、２２０  支持部、２３０  当接部、３００  規制部、４００  規制部、５００  規制部
【図１】
2020101323.tif 000003
【図２】
2020101323.tif 000004
【図３】
2020101323.tif 000005
【図４】
2020101323.tif 000006
【図５】
2020101323.tif 000007
【図６】
2020101323.tif 000008
【図７】
2020101323.tif 000009